(57)【要約】【課題】発熱体を二つの冷却手段によって二方向から冷却することができ、冷却効率を向上させることができる電子機器を提供する。【解決手段】半導体装置１０は、半導体素子２２と熱的に結合されるとともに冷却器１２内に冷却水を強制的に循環させることで半導体素子２２の冷却を該半導体素子２２の一方側から行う第１の冷却手段を備える。また、半導体装置１０は、冷媒収容部１１内に収容され所定温度で沸騰する液体冷媒を用いた沸騰冷却によって半導体素子２２の冷却を前記一方側と異なる側から行う第２の冷却手段を備える。また、半導体装置１０は、冷却器１２から延び、冷媒収容部１１に配設され、冷却器１２を通過した冷却水を冷媒収容部１１に通過させるための第２接続管３２と、冷媒収容部１１の第２接続管３２上に設けられた凝縮部３７とを備える。【選択図】図１
2008227150.tif 000002
【特許請求の範囲】
【請求項１】
発熱体の冷却装置を備えた電子機器であって、
前記発熱体と熱的に結合される冷却部を備えるとともに該冷却部内に流体を強制的に流通させることで前記発熱体の冷却を該発熱体の一方側から行う第１の冷却手段と、
冷媒収容部内に収容され所定温度で沸騰する液体冷媒を用いた沸騰冷却によって前記発熱体の冷却を前記一方側と異なる側から行う第２の冷却手段と、
前記冷媒収容部内に設けられ、前記流体を流通させることで蒸発した前記液体冷媒を凝縮する凝縮部と、
前記冷却部と前記凝縮部とを接続し、前記流体が流通される流体通路と
よりなる冷却装置を備える電子機器。
【請求項２】
前記発熱体は絶縁回路基板に熱的に結合された半導体素子であり、前記冷却部には前記絶縁回路基板が熱的に結合され、前記第１の冷却手段により前記半導体素子が前記絶縁回路基板への結合側から冷却されるとともに、前記絶縁回路基板及び半導体素子は前記冷媒収容部内に収容されて液体冷媒に浸漬され、前記第２の冷却手段により半導体素子が絶縁回路基板への結合側と異なる側から冷却される請求項１に記載の電子機器。
【請求項３】
前記発熱体は絶縁回路基板に一面が熱的に結合された半導体素子であり、前記冷却部には前記絶縁回路基板が熱的に結合され、前記第１の冷却手段により前記半導体素子が前記一面側から冷却されるとともに、前記半導体素子は他面が前記冷媒収容部に熱的に結合され、前記第２の冷却手段により半導体素子が他面側から冷却される請求項１に記載の電子機器。
【請求項４】
前記電子機器は前記半導体素子を備えた車載用の半導体装置である請求項２又は請求項３に記載の電子機器。
【請求項５】
前記液体冷媒の沸点は６５〜７０°Ｃに設定されている請求項１〜請求項４のうちいずれか一項に記載の電子機器。
【請求項６】
前記流体は液体であり、前記第１の冷却手段は液冷式である請求項１〜請求項５のうちいずれか一項に記載の電子機器。
【発明の詳細な説明】
【技術分野】
【０００１】
本発明は、発熱体を二方向から冷却する冷却装置を備える電子機器に関する。
【背景技術】
【０００２】
半導体装置（電子機器）として回路基板の回路パターン上に半導体素子が搭載されたものが知られている。この半導体装置には半導体素子（発熱体）で発生した熱を冷却する冷却装置が搭載されている。冷却装置としては、例えば、液体冷媒を冷却する熱交換器を備えた冷媒収容用容器を有したものがある（特許文献１参照。なお、この冷却装置を以下、背景技術１とする）。そして、背景技術１の冷却装置は、冷媒収容用容器内の液体冷媒中に半導体素子を浸漬することにより、液体冷媒によって半導体素子を直接冷却するようになっている。また、その他の冷却装置としては、熱伝導性を有する主面板を有し、かつ、液体冷媒を流通可能にした冷媒流通用容器を有するものがある（特許文献１参照。なお、この冷却装置を以下、背景技術２とする）。そして、背景技術２の冷却装置は、冷媒流通用容器の主面板に、可撓性を有する熱伝導体を介して近接対向させた状態で半導体素子を配置することにより、冷媒流通用容器内を流通する液体冷媒により主面板及び熱伝導体を介して半導体素子を冷却するようになっている。
【０００３】
さらに、別の冷却装置として、熱伝導性を有する材料よりなる可撓性袋状部を有するとともに該可撓性袋状部内に液体冷媒を流通可能にした可撓性袋状体を、容器内に収容した構成のものがある（特許文献１参照。なお、この冷却装置を以下、背景技術３とする）。前記可撓性袋状部内には液体冷媒が流通し、隣り合う可撓性袋状部の間に半導体装置が配設されるようになっている。そして、背景技術３の冷却装置によれば、可撓性袋状体における複数の可撓性袋状体が液体冷媒の圧力によって膨出し、隣り合う可撓性袋状部のうち一方が半導体装置の半導体素子に、他方が回路基板に当接するようになっている。その結果、半導体装置が両側から液体冷媒によって冷却される。
【０００４】
また、特許文献１における半導体集積回路装置冷却装置（以下、背景技術４の冷却装置とする）は、主面板を有し、かつ液体冷媒を流通可能にした冷媒流通用容器を有している。また、背景技術４の冷却装置において、主面板における半導体装置（回路装置）に対向する位置に窓が穿設されるとともに、冷媒流通用容器内には前記窓を閉塞する熱伝導性の可撓性膜が収容されている。可撓性膜内には液体冷媒が流通するようになっている。そして、冷媒流通用容器内を流通する液体冷媒に可撓性膜が接触し、該可撓性膜は液体冷媒の圧力によって窓から半導体装置に向けて膨出し半導体素子（回路基板）に当接するようになっている。その結果、半導体素子が可撓性膜を介して液体冷媒によって冷却される。
【特許文献１】特開昭５７−１７８３４８号公報
【発明の開示】
【発明が解決しようとする課題】
【０００５】
近年においては、半導体装置は高出力、高密度化により発熱密度が増加し、冷却効率の向上が切望されている。しかし、背景技術１の冷却装置においては液体冷媒が冷媒収容用容器内に収容されているだけであるため、半導体素子の冷却効率を向上させるためには液体冷媒を攪拌させなければならない。また、背景技術２〜背景技術４の冷却装置において、半導体素子の冷却効率を向上させるために半導体装置に対する液体冷媒の伝熱面積を増加させることが考えられるが、伝熱面積を増加させると液体冷媒流れの圧力損失増大を伴い、液体冷媒を循環させるポンプの性能が一定の条件下では冷媒流速が減少し、冷却効率が向上しない。
【０００６】
本発明は前記従来の問題に鑑みてなされたものであって、その目的は、発熱体を二つの冷却手段によって二方向から冷却することができ、冷却効率を向上させることができる電子機器を提供することにある。
【課題を解決するための手段】
【０００７】
上記問題点を解決するために、請求項１に記載の発明は、発熱体の冷却装置を備えた電子機器であって、前記発熱体と熱的に結合される冷却部を備えるとともに該冷却部内に流体を強制的に流通させることで前記発熱体の冷却を該発熱体の一方側から行う第１の冷却手段と、冷媒収容部内に収容され所定温度で沸騰する液体冷媒を用いた沸騰冷却によって前記発熱体の冷却を前記一方側と異なる側から行う第２の冷却手段と、前記冷媒収容部内に設けられ、前記流体を流通させることで蒸発した前記液体冷媒を凝縮する凝縮部と、前記冷却部と前記凝縮部とを接続し、前記流体が流通される流体通路とよりなる冷却装置を備える。
【０００８】
この発明によれば、発熱体は、冷却部を流れる流体による熱の持ち去りによって一方側から冷却されると同時に、冷却部による冷却と異なる側から沸騰冷却によって冷却される。すなわち、発熱体は異なる二つの冷却手段により二方向から冷却される。したがって、この発明の電子機器は、例えば、液体冷媒を用いた冷却手段のみを備える場合のように、発熱体の冷却効率を向上させるために、液体冷媒の攪拌を行ったり、発熱体に対する液体冷媒の伝熱面積を増加させたりする必要がない。そして、発熱体は流体による強制冷却と、液体冷媒による沸騰冷却の冷却効率の異なる冷却手段によって冷却される。したがって、一つの冷却手段だけで発熱体を冷却する場合に比して冷却効率を向上させることができる。また、冷媒収容部内には流体を用いた凝縮部が設けられており、該凝縮部によって蒸発した液体冷媒を凝縮して液体冷媒に戻すことができる。よって、電子機器が異なる二つの冷却手段を備えていても両冷却手段を関連付けることで電子機器における冷却装置の構成を簡素化することができる。
【０００９】
請求項２に記載の発明は、請求項１に記載の電子機器において、前記発熱体は絶縁回路基板に熱的に結合された半導体素子であり、前記冷却部には前記絶縁回路基板が熱的に結合され、前記第１の冷却手段により前記半導体素子が前記絶縁回路基板への結合側から冷却されるとともに、前記絶縁回路基板及び半導体素子は前記冷媒収容部内に収容されて液体冷媒に浸漬され、前記第２の冷却手段により半導体素子が絶縁回路基板への結合側と異なる側から冷却される。
【００１０】
この発明によれば、半導体素子で発生した熱は絶縁回路基板を介して第１の冷却手段における冷却部に伝導され、該冷却部に伝導された熱は冷却部を流れる流体に伝導されるとともに持ち去られる。すなわち、半導体素子で発生した熱が絶縁回路基板を介して効率良く除去され、結果として半導体素子が第１の冷却手段によって冷却される。また、半導体素子は液体冷媒に浸漬されているため、半導体素子の絶縁回路基板への結合側以外は液体冷媒に接触している。そして、半導体素子で発生した熱は、蒸発した液体冷媒に吸収され、半導体素子が冷却される。よって、半導体素子は、第１の冷却手段と第２の冷却手段によって二方向から冷却される。
【００１１】
請求項３に記載の発明は、請求項１に記載の電子機器において、前記発熱体は絶縁回路基板に一面が熱的に結合された半導体素子であり、前記冷却部には前記絶縁回路基板が熱的に結合され、前記第１の冷却手段により前記半導体素子が前記一面側から冷却されるとともに、前記半導体素子は他面が前記冷媒収容部に熱的に結合され、前記第２の冷却手段により半導体素子が他面側から冷却される。
【００１２】
この発明によれば、半導体素子で発生した熱は、半導体素子の一面から絶縁回路基板を介して第１の冷却手段における冷却部に伝導され、該冷却部に伝導された熱は冷却部を流れる流体に伝導されるとともに持ち去られる。すなわち、半導体素子で発生した熱が絶縁回路基板を介して効率良く除去され、結果として半導体素子が第１の冷却手段によって冷却される。また、半導体素子の他面は冷媒収容部を介して液体冷媒に熱的に結合されているため、半導体素子で発生した熱は、蒸発した液体冷媒によって吸収され、半導体素子の他面が冷却される。また、半導体素子は液体冷媒に浸漬されていない。このため、半導体素子に対する配線における絶縁性を確保する必要がない。
【００１３】
請求項４に記載の発明は、請求項２又は請求項３に記載の電子機器において、前記電子機器は半導体素子を備えた車載用の半導体装置である。この発明によれば、例えば、車両の走行用モータの駆動装置に半導体装置を用いた場合、走行状態により電流が一時的に急増して半導体装置が過渡的な過負荷状態になる場合があるが、半導体素子を第１の冷却手段と第２の冷却手段とにより二方向から冷却可能としたため、半導体素子が効率良く冷却され、過熱状態になることが抑制される。
【００１４】
請求項５に記載の発明は、請求項１〜請求項４のうちいずれか一項に記載の電子機器において、前記液体冷媒の沸点は６５〜７０°Ｃに設定されている。この発明によれば、液体冷媒の沸点は６５〜７０°Ｃに設定されているため、半導体素子が高温になる前に液体冷媒による沸騰冷却により半導体素子を冷却することができる。
【００１５】
請求項６に記載の発明は、請求項１〜請求項５のうちいずれか一項に記載の電子機器において、前記流体は液体であり、前記第１の冷却手段は液冷式である。この発明によれば、冷却部を流れる流体は液体である。このため、例えば、冷却部内に空気を送り込み、第１の冷却手段を空冷式とした場合に比して発熱体の冷却効率を向上させることができる。
【発明の効果】
【００１６】
本発明によれば、発熱体を二つの冷却手段によって二方向から冷却することができ、冷却効率を向上させることができる。
【発明を実施するための最良の形態】
【００１７】
以下、本発明の電子機器を、車両の走行用モータの駆動装置に使用される半導体装置（インバータモジュール）に具体化した第１の実施形態を図１にしたがって説明する。なお、図１は、半導体装置を模式的に示したものであり、図示の都合上、一部の寸法を誇張して分かり易くするために、それぞれの部分の幅、長さ、厚さ等の寸法の比は実際の比と異なっている。
【００１８】
図１に示すように、半導体装置１０は、熱伝導性を有する材料より箱状に形成された冷媒収容部１１を備え、該冷媒収容部１１は縦長に延びるように車両に搭載される。冷媒収容部１１の内部には、冷却部としての冷却器１２が収容されている。冷却器１２は、アルミニウム系金属や銅等で形成されている。アルミニウム系金属とはアルミニウム又はアルミニウム合金を意味する。冷却器１２は、冷媒収容部１１の内面に固定されている。冷却器１２の内部には複数のフィン（図示せず）が設けられるとともに、流体たる冷却水が一方側（上側）から他方側（下側）に向けて流れる流路（図示せず）が形成されている。また、冷却器１２において、冷媒収容部１１の内部に臨み、かつ上下方向へ延びる一側面には、アルミニウム系金属や銅等からなる接合板１３が接合され、接合板１３と冷却器１２とは熱的に結合されている。
【００１９】
半導体装置１０は、接合板１３に熱的に結合された複数の絶縁回路基板２１を備え、各絶縁回路基板２１には半導体素子（半導体チップ）２２が半田（図示せず）を介して接合されている。すなわち、絶縁回路基板２１と半導体素子２２とは熱的に結合されている。詳細に説明すると、前記絶縁回路基板２１はセラミック基板２３を備え、該セラミック基板２３の一面に金属回路２４を有する。そして、金属回路２４には前記半田を介して半導体素子２２が接合されている。また、絶縁回路基板２１はセラミック基板２３の他面が金属板２５を介して前記接合板１３に接合されている。
【００２０】
そして、半導体装置１０において、複数の半導体素子２２は上下に位置するように接合板１３に接合されている。また、半導体素子２２は、絶縁回路基板２１及び接合板１３を介して冷却器１２に熱的に結合され、半導体素子２２から発生した熱は、絶縁回路基板２１及び接合板１３を介して冷却器１２に伝導されるようになっている。そして、本実施形態においては、冷却器１２と該冷却器１２内を流れる冷却水は、発熱体たる半導体素子２２の冷却を該半導体素子２２の一方側（絶縁回路基板２１側）から行う第１の冷却手段を構成している。
【００２１】
なお、前記半導体素子２２としては、例えば、ＩＧＢＴ（Ｉｎｓｕｒａｔｅｄ  Ｇａｔｅ  Ｂｉｐｏｌａｒ  Ｔｒａｎｓｉｓｔｏｒ）、ＭＯＳＦＥＴ、ダイオードが用いられる。セラミック基板２３は、例えば、窒化アルミニウム、アルミナ、窒化ケイ素等により形成されている。また、金属回路２４は、例えば、アルミニウムや銅等で形成されている。金属板２５は、セラミック基板２３と接合板１３とを接合する接合層として機能し、例えば、アルミニウムや銅等で形成されている。
【００２２】
冷媒収容部１１の内面と冷却器１２によって区画される領域の一部に液体冷媒が収容されている。液体冷媒は、例えば、フロンのように電気伝導性のないものであり、所定温度の沸点を有するものが用いられる。本実施形態では、液体冷媒として沸点が６５〜７０°Ｃのものが用いられる。
【００２３】
そして、冷媒収容部１１内に液体冷媒が収容された状態では、絶縁回路基板２１及び半導体素子２２の全体が液体冷媒に浸漬されている。よって、半導体装置１０において、半導体素子２２の一方側となる絶縁回路基板２１側に冷却器１２が位置し、半導体素子２２に対し冷却器１２の反対側に液体冷媒が位置している。すなわち、半導体素子２２は冷却器１２と液体冷媒に挟まれた状態となっている。本実施形態においては、冷媒収容部１１及び液体冷媒が、半導体素子２２の冷却を、半導体素子２２の一方側と異なる側から行う第２の冷却手段を構成している。なお、図示しないが絶縁を確保するように半導体素子２２に配線がなされている。
【００２４】
前記冷却器１２は、上側に流体の入口を備え、下側に出口を備える。冷却器１２の入口には第１接続管３１の一端が連結され、該第１接続管３１の他端はポンプ３４に連結されている。第１接続管３１の途中にはラジエータ３３が設けられ、ラジエータ３３の近傍位置にはモータ（図示せず）により回転されるファン３５が配設されている。また、冷却器１２の出口には第２接続管３２の一端が連結され、該第２接続管３２の他端は前記ポンプ３４に連結されている。
【００２５】
前記第２接続管３２は、冷却器１２の出口から冷媒収容部１１の外部へ引き出されるとともに、その他の部位の一部が冷媒収容部１１内に導入されている。すなわち、第２接続管３２の一部は冷媒収容部１１内に導入されている。そして、冷却器１２、第２接続管３２、ポンプ３４、及び第１接続管３１によって冷却水循環回路が形成され、ポンプ３４の運転により冷却水は矢印Ｙに示す方向へ循環するようになっている。この冷却水循環回路においては、ポンプ３４の運転により、ラジエータ３３を通過した冷却水が冷却器１２内に導入され、冷却器１２内を冷却水が強制的に流通するようになっている。また、ポンプ３４の運転により、冷却器１２内を通過した冷却水は、第２接続管３２によって冷媒収容部１１内を通過するようになっている。
【００２６】
冷媒収容部１１内に位置する第２接続管３２の外面には多数のフィン３６が第２接続管３２の延びる方向に間隔を開けて取り付けられている。第２接続管３２内に冷却水を流通させることで、冷媒収容部１１内で蒸発した液体冷媒を冷却して凝縮するようになっており、本実施形態では第２接続管３２とフィン３６とから凝縮部３７が形成されている。そして、第２接続管３２は冷却器１２と凝縮部３７とを接続し、かつ前記冷却水が流通されるため、第２接続管３２は本実施形態において流体通路を構成している。また、凝縮部３７は、冷媒収容部１１内において、液体冷媒から上側に離れた位置に配設される。そして、本実施形態の半導体装置１０は、半導体素子２２の冷却のために、第１の冷却手段（冷却器１２及び冷却水）と、第２の冷却手段（冷媒収容部１１及び液体冷媒）と、第２接続管３２（流体通路）と、凝縮部３７とよりなる冷却装置を備える。
【００２７】
次に前記のように構成された半導体装置１０の作用を説明する。半導体装置１０は、ハイブリッド車に搭載される。また、ハイブリッド車において、冷却水循環回路を流れる冷却水は、ラジエータ３３を通過した直後は６５°Ｃ程度に冷却される。半導体装置１０に搭載された半導体素子２２が駆動されると、半導体素子２２から熱が発生する。半導体素子２２から発生した熱は、絶縁回路基板２１及び接合板１３を介して冷却器１２に伝導される。冷却器１２に伝導された熱は、冷却器１２内の流路を流れる６５°Ｃ程度の冷却水に伝導されるとともに持ち去られる。すなわち、冷却器１２は、流路を流れる冷却水によって強制冷却されるため、半導体素子２２で発生した熱が絶縁回路基板２１を介して効率良く除去され、結果として半導体素子２２が絶縁回路基板２１への結合側（接合側）から冷却される。冷却器１２の流路を通過した冷却水は出口から第２接続管３２内を通過して冷媒収容部１１内に導入される。なお、冷却水は、冷却器１２を通過する際における熱交換によって６５°Ｃ程度から７０°Ｃ程度まで５°Ｃ程度温度上昇する。このため、冷媒収容部１１内を通過する冷却水は７０°Ｃ程度になっている。
【００２８】
また、冷媒収容部１１内において、半導体素子２２から発生した熱により半導体素子２２に接触する液体冷媒が直接加熱され、液体冷媒が沸点まで加熱されると液体冷媒は沸騰し蒸発する。この沸騰時の大きな蒸発潜熱により半導体素子２２で発生した熱が吸収され、結果として半導体素子２２が冷却される。そして、半導体素子２２は、液体冷媒に全体が浸漬されているため、半導体素子２２において、絶縁回路基板２１への結合面以外の面全てが沸騰冷却によって冷却される。
【００２９】
また、冷媒収容部１１内において、液体冷媒の蒸発により気泡が発生し、気泡は液体冷媒内を上昇する。そして、気泡の上昇の連続により、液体冷媒には流れが発生し、半導体素子２２に向けて液体冷媒が常に流れるようになる。蒸発した液体冷媒は、凝縮部３７における第２接続管３２を通過する冷却水により、第２接続管３２の外周面及びフィン３６を介して熱交換される。すると、蒸発した液体冷媒は凝縮部３７で凝縮されて液体冷媒に戻される。冷媒収容部１１内を通過した冷却水は、第２接続管３２を介してラジエータ３３へ導出され、ファン３５によってラジエータ３３からの放熱が行われ、冷却水の温度が冷却器１２通過前の６５°Ｃ程度に戻される。
【００３０】
上記実施形態によれば、以下のような効果を得ることができる。
（１）半導体装置１０において、半導体素子２２は絶縁回路基板２１を介して冷却器１２に熱的に結合されるとともに、冷媒収容部１１内の液体冷媒に浸漬されている。そして、半導体素子２２が絶縁回路基板２１への結合側（一方側）から冷却器１２によって冷却されるとともに、絶縁回路基板２１への結合側と異なる側から液体冷媒による沸騰冷却によって冷却される。すなわち、半導体素子２２は異なる冷媒を用いた二つの冷却方式により二方向から冷却される。よって、例えば、一つの冷媒（例えば液体冷媒）を用いた冷却方式において、半導体素子２２の冷却効率の向上のために液体冷媒の攪拌を行ったり、発熱体に対する液体冷媒の伝熱面積を増加させる等の方策を講じる場合に比して、本実施形態の半導体装置１０は半導体素子２２の冷却効率を向上させることができる。
【００３１】
（２）半導体装置１０において、第１の冷却手段は冷却水を用いた強制冷却を採用し、第２の冷却手段は冷媒の相変換を用いた沸騰冷媒を採用している。そして、強制冷却方式と沸騰冷却方式とでは半導体素子２２の冷却効率が異なる。したがって、例えば、半導体素子２２を一つの冷却方式を用いて異なる二方向から冷却する場合に比して、半導体素子２２の冷却効率を向上させることができる。
【００３２】
（３）半導体装置１０において、冷媒収容部１１内には冷却器１２に接続された第２接続管３２が引き込まれ、該第２接続管３２には複数のフィン３６が取り付けられている。そして、冷媒収容部１１内の第２接続管３２を流れる冷却水とフィン３６よりなる凝縮部３７によって、冷媒収容部１１内で蒸発した液体冷媒を凝縮して液体に戻すことができる。したがって、例えば、冷却器１２による半導体素子２２の冷却と、蒸発した液体冷媒の凝縮部３７とを別々に半導体装置１０に設ける場合に比して、半導体装置１０の構成を簡素化し、製造コストを抑えることができる。
【００３３】
（４）半導体素子２２の一つの冷却方式として沸騰冷却を採用した。そして、沸騰冷却においては、発熱した半導体素子２２に熱的に結合された液体冷媒だけが沸騰するため、発熱した半導体素子２２のみを選択的に冷却することができる。
【００３４】
（５）冷却器１２を流れる流体は液体（冷却水）である。このため、例えば、冷却器１２内に空気を送り込み、冷却器１２を空冷式とした場合に比して半導体素子２２の冷却効率を向上させることができる。
【００３５】
（６）冷却水はラジエータ３３及びファン３５によって６５°Ｃ程度にまで冷却され、冷却器１２を通過すると７０°Ｃ程度まで温度上昇する。そして、液体冷媒の沸点が６５〜７０°Ｃに設定されているため、冷媒収容部１１内を７０°Ｃ雰囲気とすることができ、液体冷媒を７０°Ｃ程度で沸騰させることができる。また、半導体素子２２が高温になる前に液体冷媒による沸騰冷却により半導体素子２２を冷却することができる。
【００３６】
（７）半導体装置１０は車載用の半導体装置である。車両の走行用モータの駆動装置に半導体装置１０を用いた場合、走行状態により電流が一時的に急増して半導体素子２２が過渡的な過負荷状態になる場合があるが、半導体素子２２を二方向から冷却可能としたため、半導体素子２２が過熱状態になることが抑制される。
【００３７】
（８）冷媒収容部１１を縦置きし、接合板１３の上下方向に半導体素子２２が並ぶように半導体装置１０を構成した。このため、蒸発した液体冷媒の気泡が上昇することにより、液体冷媒全体に流れが発生する。よって、半導体素子２２に向けて液体冷媒が流れるようになり、半導体素子２２に液体冷媒を常に接触させることができる。したがって、液体冷媒の蒸発により、半導体素子２２の周りから液体冷媒が無くなることを防止することができ、半導体素子２２の冷却を常に可能とすることができる。
【００３８】
（第２の実施形態）
次に、本発明を具体化した第２の実施形態を図２にしたがって説明する。なお、第２の実施形態は、冷却部（冷却器）と冷媒収容部とが別体形成され、その他の構成は第１の実施形態と基本的に同様であるため、同様の部分についてはその詳細な説明を省略する。
【００３９】
図２に示すように、半導体装置１０において、冷却器１２は冷媒収容部１１の外部に設けられるとともに、冷却器１２の上側に冷媒収容部１１が設けられている。冷却器１２の接合板１３上には第１の絶縁回路基板２１が接合され、第１の絶縁回路基板２１と冷却器１２とは熱的に結合されている。また、第１の絶縁回路基板２１上の半導体素子２２には第２の絶縁回路基板１８を介して冷媒収容部１１の下面が接合されている。なお、第２の絶縁回路基板１８は、セラミック基板１８ａを備え、該セラミック基板１８ａの一面に金属回路１８ｃを有する。そして、金属回路１８ｃには半田を介して半導体素子２２が接合されている。また、第２の絶縁回路基板１８はセラミック基板１８ａの他面が金属板１８ｂを介して冷媒収容部１１に接合されている。
【００４０】
すなわち、半導体素子２２の一面は第１の絶縁回路基板２１を介して接合板１３に熱的に結合され、半導体素子２２の他面は第２の絶縁回路基板１８を介して冷媒収容部１１と熱的に結合されている。そして、発熱体たる半導体素子２２は、その下側に設けられた冷却器１２と、上側に設けられた冷媒収容部１１に挟まれている。冷媒収容部１１内には液体冷媒が収容されるとともに、第２接続管３２が引き込まれ、第２接続管３２にはフィン３６が取り付けられ、凝縮部３７が設けられている。そして、第２の実施形態では、半導体素子２２は液体冷媒に浸漬されていない。
【００４１】
さて、第２の実施形態の半導体装置１０においては第１の実施形態と同様に、半導体素子２２は冷却器１２によって第１の絶縁回路基板２１への結合側、すなわち一面側（一方側）から冷却される。また、半導体素子２２から発生した熱は、半導体素子２２の他面から第２の絶縁回路基板１８及び冷媒収容部１１を介して液体冷媒に伝導され、液体冷媒が加熱される。そして、液体冷媒が沸点まで加熱されると液体冷媒は沸騰し、液体冷媒は沸騰し蒸発する。この沸騰時の大きな蒸発潜熱により冷媒収容部１１に伝導した熱が吸収され、該冷媒収容部１１及び第２の絶縁回路基板１８を介して半導体素子２２で発生した熱が吸収される。よって、半導体素子２２が他面側から冷却され、半導体素子２２は第１の絶縁回路基板２１への結合側と反対側（異なる側）から沸騰冷却により冷却される。
【００４２】
したがって、この実施形態によれば、第１の実施形態における（１）〜（７）と同様の効果の他に次の効果を得ることができる。
（９）半導体素子２２と、第１及び第２の絶縁回路基板２１，１８は、冷媒収容部１１の外側に設けられ、液体冷媒内に浸漬されていない。このため、半導体素子２２に対する配線における絶縁性を確保する必要がなく、浸漬した場合に比して半導体素子２２への配線を容易とすることができる。
【００４３】
（第３の実施形態）
次に、本発明を具体化した第３の実施形態を図３にしたがって説明する。なお、第３の実施形態は、冷媒収容部及び冷却部（冷却器）の構成が異なり、その他の構成は第１の実施形態と基本的に同様であるため、同様の部分についてはその詳細な説明を省略する。
【００４４】
図３に示すように、第３の実施形態の半導体装置４０は冷媒収容部４１を備え、該冷媒収容部４１は、底壁４２と、該底壁４２から立設された複数の側壁４３と、該側壁４３の上部において、冷媒収容部４１の上部を閉塞する天板部４４とから箱状に形成されている。前記複数の側壁４３のうち相対向するように配設された一対の側壁４３を第１側壁４３ａ及び第２側壁４３ｂとする。そして、第１側壁４３ａ、第２側壁４３ｂ及び天板部４４は二重壁状に形成され、第１側壁４３ａ、第２側壁４３ｂ及び天板部４４の内側に流体たる冷却水を流すことが可能になっている。また、第１側壁４３ａ及び第２側壁４３ｂは、底壁４２側から天板部４４に向かうに従い内壁面及び外壁面が冷媒収容部４１の内側に向けて傾斜するように形成され、冷媒収容部４１は正断面視が略台形状に形成されている。
【００４５】
半導体装置４０は、第１側壁４３ａ及び第２側壁４３ｂの内壁面に熱的に結合された複数の絶縁回路基板２１を備え、各絶縁回路基板２１には半導体素子２２が半田（図示せず）を介して熱的に結合（接合）されている。前記絶縁回路基板２１はセラミック基板２３を備え、該セラミック基板２３の一面に金属回路２４を有する。また、絶縁回路基板２１はセラミック基板２３の他面が金属板２５を介して第１及び第２側壁４３ａ，４３ｂの内壁面に熱的に接合され、半導体素子２２及び絶縁回路基板２１は上下方向へ延びるように第１及び第２側壁４３ａ，４３ｂの内壁面に接合されている。
【００４６】
よって、半導体素子２２は、絶縁回路基板２１（金属板２５）を介して第１及び第２側壁４３ａ，４３ｂに熱的に結合され、半導体素子２２から発生した熱は、絶縁回路基板２１（金属板２５）を介して第１及び第２側壁４３ａ，４３ｂに伝導されるようになっている。すなわち、本実施形態においては、冷却水が流れる第１及び第２側壁４３ａ，４３ｂが半導体素子２２を冷却する冷却部を形成している。そして、第１側壁４３ａ及び第２側壁４３ｂと冷却水により、半導体素子２２の冷却を該半導体素子２２の絶縁回路基板２１への結合側（一方側）から行う第１の冷却手段が構成されている。
【００４７】
半導体装置４０において、冷媒収容部４１内には液体冷媒が収容され、該液体冷媒に半導体素子２２及び絶縁回路基板２１が浸漬されている。そして、冷媒収容部４１及び液体冷媒が、半導体素子２２の冷却を、半導体素子２２の絶縁回路基板２１への結合側と異なる側から行う第２の冷却手段を構成している。
【００４８】
天板部４４は、前記冷却部たる第１及び第２側壁４３ａ，４３ｂから延びるとともに、内壁面が前記冷媒収容部４１に向けて露出するようになっている。そして、第１側壁４３ａを通過した冷却水が天板部４４を通過することにより、冷却水は冷媒収容部４１を通過するようになっている。なお、図示しないが絶縁を確保するように半導体素子２２に配線がなされている。また、天板部４４の内面には多数のフィン４６が間隔を開けて取り付けられている。そして、天板部４４に第１側壁４３ａを通過した冷却水を流通させることで、冷媒収容部４１内で蒸発した液体冷媒を冷却して凝縮するようになっている。本実施形態では、天板部４４とフィン４６とから凝縮部４７が形成されている。また、天板部４４は第１側壁４３ａと凝縮部４７とを接続し、かつ冷却水が流通されるため、天板部４４は本実施形態において流体通路を構成している。なお、凝縮部４７は、冷媒収容部４１内において、液体冷媒から上側に離れた位置に配設される。第１側壁４３ａ及び第２側壁４３ｂには接続管４８の両端が接続され、該接続管４８にはポンプ４９及びラジエータ５０（ファン５１）が設けられている。接続管４８、第１側壁４３ａ、天板部４４、第２側壁４３ｂ及びポンプ４９によって冷却水循環回路が形成され、矢印Ｙに示す方向へ冷却水が循環するようになっている。そして、本実施形態の半導体装置４０は、半導体素子２２の冷却のために、第１の冷却手段（第１及び第２側壁４３ａ，４３ｂと冷却水）と、第２の冷却手段（冷媒収容部４１及び液体冷媒）と、天板部４４（流体通路）と、凝縮部４７とよりなる冷却装置を備える。
【００４９】
さて、第３の実施形態の半導体装置４０に搭載された半導体素子２２が駆動されると、半導体素子２２から熱が発生する。半導体素子２２から発生した熱は、絶縁回路基板２１から第１及び第２側壁４３ａ，４３ｂに伝導される。第１及び第２側壁４３ａ，４３ｂに伝導された熱は、該第１及び第２側壁４３ａ，４３ｂを流れる冷却水に伝導されるとともに持ち去られる。すなわち、第１及び第２側壁４３ａ，４３ｂは、冷却水によって強制冷却されるため、半導体素子２２で発生した熱が絶縁回路基板２１を介して効率良く除去され、結果として半導体素子２２が冷却される。第１側壁４３ａ内を流れた冷却水は天板部４４内を通過して、第２側壁４３ｂ内に導入される。なお、冷却水は、第１側壁４３ａにおける熱交換によって６５°Ｃから７０°Ｃ程度まで約５°Ｃ温度上昇し、７０°Ｃ程度の冷却水が第２側壁４３ｂ内を通過する。
【００５０】
また、冷媒収容部４１において、半導体素子２２から発生した熱により冷媒収容部４１内の液体冷媒が直接加熱され、液体冷媒の沸点まで加熱されると液体冷媒は沸騰し蒸発する。この沸騰時の大きな蒸発潜熱により半導体素子２２で発生した熱が吸入され、結果として半導体素子２２が冷却される。
【００５１】
蒸発した液体冷媒は、凝縮部４７における天板部４４を通過する冷却水により、天板部４４の内壁面及びフィン４６を介して冷却される。すると、蒸発した液体冷媒は凝縮部４７で凝縮されて液体冷媒に戻る。天板部４４内を通過した冷却水は、第２側壁４３ｂ内を通過してラジエータ５０へ導出され、ファンによってラジエータ５０からの放熱が行われ、冷却水の温度が側壁４３通過前の６５°Ｃ程度に戻される。
【００５２】
したがって、この実施形態によれば、第１の実施形態における（１）〜（８）と同様の効果の他に次の効果を得ることができる。
（１０）冷媒収容部４１に液体冷媒を収容し、該冷媒収容部４１を形成する第１側壁４３ａ及び第２側壁４３ｂによって冷却部を構成するとともに天板部４４内に流体通路を形成した。よって、冷媒収容部４１の一つで冷却部（第１及び第２側壁４３ａ，４３ｂ）と流体通路を構成することができ、半導体装置４０の構成を簡素化することができる。
【００５３】
（１１）第１側壁４３ａ及び第２側壁４３ｂは冷媒収容部４１の内側に向くように傾斜し、該第１及び第２側壁４３ａ，４３ｂに半導体素子２２が接合されている。このため、蒸発し、気泡となった液体冷媒が上昇する際、半導体素子２２に接触しやすく、半導体素子２２で発生した熱が吸収されやすくなる。
【００５４】
なお、本実施形態は以下のように変更してもよい。
○  第１〜第３の実施形態において、冷却水の流通する方向は矢印Ｙと逆方向であってもよい。
【００５５】
○  電子機器は、車両に搭載される半導体装置１０，４０に限らず他の用途に使用するものに適用してもよい。例えば、半導体素子２２を備えたコンバータであってもよい。
○  発熱体は半導体素子２２ではなく、コンデンサや抵抗であり、該コンデンサや抵抗が実装された電子機器の冷却のために該電子機器に第１及び第２の冷却手段を設けてもよい。
【００５６】
○  冷却器１２、又は冷媒収容部４１の両側壁４３ａ，４３ｂ及び天板部４４を流れる流体は冷却水（液体）に限らず、例えば、他の液体や空気などの気体であってもよい。
○  液体冷媒は沸点が６５〜７０°Ｃ以外の液体冷媒を用いてもよい。又は、冷媒収容部１１又は冷媒収容部４１内の圧力を調整して液体冷媒の沸点を任意の温度に設定してもよい。
【００５７】
○  絶縁回路基板２１上に金属回路２４が１個形成される構成に限らず、金属回路２４が複数形成されるとともに、各金属回路２４上に半導体素子２２がそれぞれ接合された構成としてもよい。
【００５８】
○  第２の実施形態のように、半導体素子２２を液体冷媒に浸漬しない場合には、液体冷媒として電気伝導性を有するもの（例えば、アルコール）を用いてもよい。
○  第１の実施形態の冷媒収容部１１を横置きにして車両に搭載してもよい。
【図面の簡単な説明】
【００５９】
【図１】第１の実施形態の半導体装置を模式的に示す断面図。
【図２】第２の実施形態の半導体装置を模式的に示す断面図。
【図３】第３の実施形態の半導体装置を模式的に示す断面図。
【符号の説明】
【００６０】
１０，４０…電子機器としての半導体装置、１２…第１の冷却手段における冷却部を構成する冷却器、１１，４１…第２の冷却手段を構成する冷媒収容部、１８，２１…絶縁回路基板、２２…発熱体としての半導体素子、３２…流体通路を形成する第２接続管、３７，４７…凝縮部、４３ａ…第１の冷却手段における冷却部を構成する第１側壁、４３ｂ…第１の冷却手段における冷却部を構成する第２側壁、４４…流体通路を形成する天板部。
【図１】
2008227150.tif 000003
【図２】
2008227150.tif 000004
【図３】
2008227150.tif 000005